(57)【要約】【課題】きわめて容易にスクリーンボックスの高さ調整を行え、スクリーンボックスの取付部分を任意の数だけ設置することができるスクリーン装置を提供すること。【解決手段】スクリーンを巻回して収納可能な長尺状で下面が開口したスクリーンボックス１と、スクリーンボックス１上面に対して間隔を空けて固定された下部支持板６と、天井裏にてスラブ等の構造物から吊り下げ固定された上部支持板１０と、下部支持板６と上部支持板１０とをその間隔を調整可能に接続し下方に調整用の操作部を有する調整部材１６とからなり、スクリーンボックス１上面において上記調整部材１６の操作部に対向する部分に貫通孔１８が開けられているスクリーン装置。【選択図】図１
0003153454.tif 000002
【実用新案登録請求の範囲】
【請求項１】
スクリーンを巻回して収納可能な長尺状で下面が開口したスクリーンボックスと、スクリーンボックス上面に対して間隔を空けて固定された下部支持板と、天井裏にてスラブ等の構造物から吊り下げ固定された上部支持板と、下部支持板と上部支持板とをその間隔を調整可能に接続し下方に調整用の操作部を有する調整部材とからなり、スクリーンボックス上面において上記調整部材の操作部に対向する部分に貫通孔が開けられていることを特徴とするスクリーン装置。
【請求項２】
スクリーンボックス下面の開口部においてスクリーンが吊り下げられる逆側半分を覆うハーフカバーを有し、このハーフカバーの長手方向に沿った一方の辺がスクリーンボックスの開口部内に設けられた係合部に係合し、ハーフカバーの長手方向両端部が、スクリーンボックスの開口部の長手方向両端部に設置された係止板の上に載り、係止板の中央部で上向きに突出して設けられた突起部の先端で膨張したストッパ部分にハーフカバーの他方の辺が係合することで、ハーフカバーが着脱自在に固定されるようになっていることを特徴とする請求項１に記載のスクリーン装置。
【考案の詳細な説明】
【技術分野】
【０００１】
この考案は、会議室、宴会場、体育館、劇場等の屋内、室内において、天井裏に設置され内部に巻回したスクリーンを昇降させるスクリーン装置に関するものである。
【背景技術】
【０００２】
会議室、宴会場、体育館、劇場等の屋内や比較的大きな室内において、説明や娯楽のためにプロジェクター映写、スライド映写、映画鑑賞等を行う場合、映像を映写するための大きなスクリーンが必要となるが、映写の度にスクリーンを設置するのは面倒であるので、予め天井裏にスクリーンを巻回して収納しておき、映写の必要時にスクリーンを天井裏から引きだして、その状態でスクリーンに対して映像を映写し、映写が終了すれば、またスクリーンを巻回して天井裏へ収納することが行われている。
【０００３】
このスクリーンの天井裏からの引き出しと天井裏への収納のため、スクリーンを巻回した巻回体の状態で収納可能な大きさの長尺状で下面が開口したボックス状のスクリーンボックスを天井裏に設置しておき、天井の開口にスクリーンボックスの下面開口部を合致させ、この開口部を通じてスクリーンの下方への引き出しと巻き取りを行うようになっている。
【０００４】
ところで、このスクリーンボックスの天井裏への設置は、天井裏の上にあるスラブの下に適宜接続部材を固定し、この接続部材の下端にスクリーンボックスを取り付けるのであるが、スラブと天井との距離は厳密さが要求されていないことから一定しておらず、スラブに対して接続部材と取り付けられたスクリーン装置の天井への装着時に、所定寸法からの誤差等により天井の開口部とスクリーン装置のボックス下端部が一致しない場合があり、その部分の段差が強調されたり、天井裏が見えたりして見栄えが悪くなるので、スクリーンボックス下端の高さ方向への微調整機構が必要となる。
【０００５】
そこで、スクリーンボックスの側面のサイドユニットの下端を別部品として上下に調整可能とすることで、スラブと天井板との間の間隔が異なっても、スクリーンボックスの取付位置を変更せずに、ボックス開口部を天井板の開口高さと合致できるようにしたスクリーンボックスが提案されている（例えば、特許文献１参照）。
【０００６】
また、スクリーンボックスのボックス本体の長手方向両端部に取り付けられる側面パネルを着脱自在としておき、スクリーンボックス取付の際、側面パネルを外した状態で下からこの部分に手を入れて、ボックス本体の長手方向両端部付近の上面に取り付けられたボルトを操作して、取付位置を調整し、その後、側面パネルを取り付けるようにした天井埋込ボックスも提案されている（例えば、特許文献２参照）。
【先行技術文献】
【特許文献】
【０００７】
【特許文献１】特許第２９０３０８４号公報
【特許文献２】実用新案登録第３１４８９２５号公報
【考案の概要】
【考案が解決しようとする課題】
【０００８】
しかしながら、特許文献１のスクリーンボックスの場合、調整のためにボックス側面を分割して構成するという部品点数の増加でコスト高となると共に、別部品のねじ込みによるため一体成形のものに比べて強度が劣り、また、経年でネジの弛みなどによるボックスのガタが生じやすくなる。
【０００９】
また、特許文献２の天井埋込ボックスの場合、ボックスの長手方向両端部を開けてその部分に手を入れて操作するので、調整可能なネジはボックス両端部付近のものに限られ、両端部に２つの取付ネジがある天井埋込ボックスしか適用できず、ボックス中央部も吊り下げる必要があるような比較的重量のあるスクリーンボックスには対応できないという問題がある。
【００１０】
更に、スクリーンボックス内に収納されたスクリーンの巻回体からのスクリーンの取り出しと収納は巻回体の一方側から行われるので、スクリーンのボックス開口部の通過は開口部の片側のみで行われ、スクリーンが通過しない開口部の半分の部分は、スクリーンの巻回体や内部機構を見えなくして見栄えを良くするためにハーフカバーにより覆われている。
【００１１】
しかし、ハーフカバーは、スクリーンボックスにネジ止め等により固定されているので、スクリーンボックスの天井への設置後に装着する場合、天井付近での高所でのネジ止め作業となり作業が困難であり、また、設置後に下から見た時、固定用ネジが目立ったりするという問題があった。
【００１２】
そこで、この考案は、上記のような課題を解決し、きわめて容易にスクリーンボックスの高さ調整を行え、また、スクリーンボックスの取付部分を任意の数だけ設置することができ、更に、ハーフカバーの設置作業も容易にし、見栄えがよいスクリーン装置を提供することを課題とする。
【課題を解決するための手段】
【００１３】
以上のような課題を解決するため、請求項１の考案は、スクリーンを巻回して収納可能な長尺状で下面が開口したスクリーンボックスと、スクリーンボックス上面に対して間隔を空けて固定された下部支持板と、天井裏にてスラブ等の構造物から吊り下げ固定された上部支持板と、下部支持板と上部支持板とをその間隔を調整可能に接続し下方に調整用の操作部を有する調整部材とからなり、スクリーンボックス上面において上記調整部材の操作部に対向する部分に貫通孔が開けられているスクリーン装置である。
【００１４】
ここで調整部材とは、例えば、下部支持板に開けた貫通状の孔（調整用孔）に下側からボルトを通し、ボルトのヘッドで下部支持板を支え、ボルトのネジ溝を上部支持板に固定したナットに螺号させて下部支持板と上部支持板を接続し、このボルトヘッドを調整用の操作部とし、下方からボルトヘッドをドライバ等で回動させることで、ネジを回し、下部支持板と上部支持板の間隔を調整するものが挙げられる。
【００１５】
次に、請求項２の考案は、上記請求項１に記載のスクリーン装置において、スクリーンボックス下面の開口部においてスクリーンが吊り下げられる逆側半分を覆うハーフカバーを有し、このハーフカバーの長手方向に沿った一方の辺がスクリーンボックスの開口部内に設けられた係合部に係合し、ハーフカバーの長手方向両端部が、スクリーンボックスの開口部の長手方向両端部に設置された係止板の上に載り、係止板の中央部で上向きに突出して設けられた突起部の先端で膨張したストッパ部分にハーフカバーの他方の辺が係合することで、ハーフカバーが着脱自在に固定される構成を採用したものである。
【考案の効果】
【００１６】
以上のように、請求項１に記載の考案によると、スクリーンボックスの下面開口を通じてボックス上面へ空いた貫通孔を利用して調整部材が調整可能であり、スクリーンボックスの開口部周囲と天井面とを隙間無く一致させるための高さ調整が簡単に行えるので作業性が良い。
【００１７】
また、調整部材とスクリーンボックスの貫通孔は、任意の場所に配置することができるので、重量配分等を考えた適切な吊り下げ部の配置が可能であり、更に、調整部材の配置個数も任意で増減でき、重量のある大型のスクリーン装置であれば調整部材を３箇所以上に増やすことで対応可能となる。
【００１８】
次に、請求項２に記載の考案によると、請求項１に記載の考案の効果に加えて、ハーフカバーの固定及び取り外しが係止板に設けた突起部のストッパに抗して下方へ押し込んで固定でき、上方へ引き出して取り外しとそれぞれワンタッチで可能となり作業性が良い。
【００１９】
また、ハーフカバーの固定にネジ等を用いないので、スクリーン装置の下面にネジの頭等が存在せず、見た目も良くなる。
【図面の簡単な説明】
【００２０】
【図１】この考案のスクリーン装置の断面図である。
【図２】この考案のスクリーン装置の要部拡大断面図である。
【図３】この考案の化粧フランジの斜視図である。
【図４】蓋部材の斜視図である。
【考案を実施するための形態】
【００２１】
以下、この考案の実施例を添付図面を参考にして説明する。
図１及び図２に示すように、この考案のスクリーン装置のスクリーンボックス１は、収納するスクリーンを巻き取った巻回体２（点線にて表示）を収納可能な大きさの長尺状かつ矩形状の箱体であり、その大きさは一例として高さ及び幅が約１５０ｍｍ、長さ約４ｍ程度である。また、スクリーンボックス１の下面は全面が開放された開口部３となっている。
【００２２】
スクリーンボックス１の材質は特に限定されるものではないが、その耐久性や軽量・剛性の点からアルミ合金を用いるのが一般的であり、また、その剛性や強度を考慮し、断面コ字状の長尺体を押出成型により一体成形で得ておいて、長さ方向両端部を側板で覆うことで、下面のみが開口部３として開放したスクリーンボックス１が得られる。
【００２３】
このスクリーンボックス１内に、バネ等の巻き取り力が付勢された巻き取りドラム（図示せず）が収納され、この巻き取りドラムにスクリーン４が巻き付いてバネ等の力で巻き上げられて巻回体２を形成しており、前述のスクリーンボックス１の開口部３を通じて巻回体２からスクリーン４が下方に引き出される。
【００２４】
バネ力に抗してスクリーン４の下端の中央部の把手（図示せず）を手に持ったりフックに掛けてから引き下げた際は、スクリーン４はスクリーンボックス１内の巻回体２を巻き上げ方向と逆方向に回転させながら下方に移動し、巻き取りドラムに設けられた既知のカム手段等により任意の引き下げ位置で巻き上げを停止できるようになっている。
【００２５】
スクリーン４の収納の際は、同様に既知のカム機構により、例えばスクリーン４下端の把手を更に一段下に引き下げることで巻き取りドラムのバネ力を作用させて、天井裏に配置されたスクリーンボックス１内の巻回体２に巻回して収納するようにする。
【００２６】
上記スクリーンボックス１は、図１に示すように、天井５の平面にスクリーンボックス１が嵌る大きさの開口を開けてその中にスクリーンボックス１を収納し、スクリーンボックス１の下面開口部３が天井５の平面と一致するようにして天井裏内に固定される。
【００２７】
スクリーンボックス１の天井裏内での固定手段は、まず、下部支持板６をスクリーンボックス１の上面から若干の距離を置いてボルトとナット等からなる締結具７によりスクリーンボックス１に固定し、この下部支持板６は、通常、スクリーンボックス１の長さ方向両端部二箇所であるが、重量のあるスクリーンボックスの場合には、更にスクリーンボックス１の中央部を加えた三箇所に設置される。
【００２８】
この下部支持板６は、スクリーンボックス１の幅とほぼ同じ長さの平板状であり、スクリーンボックス１の長さ方向に対して直角に配置され、内側二箇所には、前述の締結具７を通すための貫通孔（図には表れない）が設けられ、その両側の長さ方向両端部付近には、貫通状の調整用孔８が設けられている。
【００２９】
天井裏の上部にあるスラブ等の構造物に二本のボルト９，９を下向きに吊り下げて固定しておき、このボルト９を利用して、長尺状の板からなる上部支持板１０を、スクリーンボックス１を所定位置に設置した際、スクリーンボックス１上面の下部支持板６と上下で対向し下部支持板６と平行になる位置に設置する。
【００３０】
上部支持板１０は、スクリーンボックス１の幅より長い板状体で、両端部付近に板状体の長さ方向に沿った長孔１１を有し、この長孔１１にスラブから下方向に延びて吊り下げ固定されている前記ボルト９を通して上下をナット１２で締め付けることで、上部支持板１０はスラブ等の構造物に対して固定配置される。
【００３１】
また、上部支持板１０の前記長孔１１の内側二箇所に、スクリーンボックス１を所定位置に設置した際、スクリーンボックス１の上面に固定された下部支持板６の前記調整用孔孔８に対向する位置に、貫通状の調整用孔１３が開けられている。
【００３２】
この上部支持板１０と下部支持板６は、例えば回転により距離調整可能なネジを有するボルト１４、ナット１５、及び圧縮バネ３０により構成された調整部材１６により接続される。
【００３３】
上部支持板１０の調整用孔１３の上面側には、前述の調整部材１６のナット１５が溶接等により固定されている。
【００３４】
下部支持板６の調整用孔８は、下方から調整部材１６を構成するボルト１４が挿通され、下部支持板６と上部支持板１０の間で圧縮バネ３０の中を通ってから、上部支持板１０の調整用孔１３の上部に溶接されているナット１５に螺合されることで、下部支持板６と上部支持板１０とが接続されることになる。
【００３５】
この際、ボルト１４のネジを回転させるボルトヘッド１７は、下部支持板６の調整用孔８より大きな直径で、この部分で下部支持板６を下側から支えており、また、圧縮バネ３０が下部支持板６を下方に圧縮しており、下部支持板６は上下からの力で支えられ、がたつき無く固定されることになる。
【００３６】
更に、ボルトヘッド１７はスクリーンボックス１の上面に臨む位置に配置され、スクリーンボックス１上面のこのボルト１４のボルトヘッド１７に対応する位置に貫通孔１８が開けられており、通常時は、この貫通孔１８に対して着脱自在となる蓋部材１９により貫通孔１８は閉じられている。
【００３７】
スクリーンボックス１の側面下端部の開口部３の周囲には、外側に向けてフランジ２０が設けられており、このフランジ２０が、天井５に開けられた開口と、この開口に入れられたスクリーンボックス１との隙間を隠して美観を保持する役目を持つ。また、このフランジ２０の上面が天井５とぴったり接触するようにスクリーンボックス１の高さの微調整が行われる。
【００３８】
スクリーンボックス１の長さ方向両端部を閉鎖する側面板が取り付けられた部分の下端には、図３で示す別途部品となる比較的剛性があり、かつ柔軟性、復元性を有する合成樹脂等からなる化粧フランジ２１が取り付けられ、この化粧フランジ２１と前述のフランジ２０とが共に、スクリーンボックス１の開口部３の周囲全体を取り囲むように形成される。
【００３９】
化粧フランジ２１のボックス内側となる部分には、化粧フランジと一体、又は別部材を接着することで構成された係止板２２が設けられており、この係止板２２は、平板状部分の長さ方向中央部に、幅方向全体にわたって上側に突出する突起部２３を有しており、突起部２３の上端部は係止板２２の長さ方向に若干膨らんだストッパー２４となっている。
【００４０】
図１で示すハーフカバー２５は、スクリーンボックス１の開口部３の、スクリーン４が吊り下げられて上下するのと反対側を覆い、スクリーンの巻回体２その他の巻き取り巻き上げ機構を隠す役割を持つもので、長さは、開口部３の長さ方向全長にわたり、幅は、開口部３の幅方向の１／２の幅を有している。
【００４１】
このハーフカバー２５の固定は、スクリーンボックス１の開口部３内側に設けた係合溝２６に、ハーフカバー２５の係合片２７を嵌め込み、ハーフカバー２５の両端部の内側先端部を係止板２２の突起部２３のストッパー２４に抗して下方に押し込み、ハーフカバー２５の長さ方向両端部を係止板２２の上面に載せると、突起部２３のストッパー２４がハーフカバー２５の上方への脱出を阻止することでハーフカバー２５を定位置に固定することになる。
【００４２】
なお、ハーフカバー２５の係合片２７が係合する係合溝２６を、スクリーンボックス１内の両側に設けておき、係止板２２の突起部２３を中央に設置し、ハーフカバー２５を開口部３の半分の大きさとしたのは、スクリーンボックス１の天井への設置の際、スクリーンが上下する方向を考慮してボックスの設置向きをどちらにしても使用できるようにして、設置後のスクリーンボックス１の付け直し等の手間を防止するためである。
【００４３】
この考案のスクリーン装置の構成は上記のような構成であり、次に、このスクリーン装置の設置方法を説明する。
【００４４】
まず、天井５のスクリーン装置を設置すべき場所にスクリーンボックス１と同等か若干大きめの長方形の開口を開けて、その上にあるスラブに対して図１で示すボルト９のような適宜締結手段を接合し、この構造物に固定されたボルト９を上部支持板１０の長孔１１に通し、長孔１１内で位置合わせ後にナット１２で締め付けることで、上部支持板１０をスクリーンボックス１が設置された場合に、スクリーンボックス１の長さ方向に直交かつ水平となるよう２箇所又は３箇所の複数箇所に固定する。
【００４５】
一方、スクリーンボックス１の上面に、下部支持板６をネジ止め等による締結具７により固定し、スクリーンボックス１の上面に下部支持板６を取り付けたまま、天井５の開口にスクリーンボックス１を入れる。
【００４６】
次に、下部支持板６の両端部付近の調整用孔８に下方から上向きにボルト１４を挿通し下部支持板６の上面で圧縮バネ３０の中を通し、更に、上部支持板１０の調整用孔１３に通し、その上に固定されたナット１５に螺合する。その際、図２に示すように、スクリーンボックス１の上面に開けられた貫通孔１８の蓋部材１９を外し、この貫通孔１８を通じてドライバー２８等の工具でボルト１４のボルトヘッド１７をドライバ等で回して調整を行う。
【００４７】
このボルト１４の螺合により上部支持板１０と下部支持板６が接合され、さらにその螺合量により上部支持板１０と下部支持板６の距離が調整され、即ち、スクリーンボックス１の上下位置調整が行え、スクリーンボックス１の開口部３の周囲に設けられたフランジ２０や化粧フランジ２１の上面が天井５に隙間無く接触するように調整を行う。
【００４８】
スクリーンボックス１の天井裏に於ける高さ調整後、スクリーンボックス１内の貫通孔１８を蓋部材１９で隠し、次いでハーフカバー２５をスクリーンボックス１の開口部３に入れ、ボックス内側の係合溝２６にハーフカバー２５の係合片２７を係合させてから、ハーフカバー２７の他方片の長さ方向両端部を係止板２４の上面に載せ、突起部２３のストッパー２４に抗してこのハーフカバー２５を押し込んで固定する。
【００４９】
以上、この考案の実施形態を説明したが、この考案はこの実施形態に限定されるものではなく、この考案の目的の範囲内で適宜設計変更して実施できる。
【００５０】
例えば、スクリーンボックス１は、実施形態では押出成型により上面と側面を一体に形成したが、製法はこれに限られず、板状体を組み立てたものその他種々の構成が採用でき、この発明の構成要素である上部取付板、下部取付板は実施形態では長尺状の板状体としたが、これらに限られず広い平面を有する板状や、その他の形状としても良い。
【符号の説明】
【００５１】
１  スクリーンボックス
２  巻回体
３  開口部
４  スクリーン
５  天井
６  下部支持板
７  締結具
８  調整用孔
９  ボルト
１０  上部支持板
１１  長孔
１２  ナット
１３  調整用孔
１４  ボルト
１５  ナット
１６  調整部材
１７  ボルトヘッド
１８  貫通孔
１９  蓋部材
２０  フランジ
２１  化粧フランジ
２２  係止板
２３  突起部
２４  ストッパー
２５  ハーフカバー
２６  係合溝
２７  係合片
２８  ドライバー
３０  圧縮バネ
【図１】
0003153454.tif 000003
【図２】
0003153454.tif 000004
【図３】
0003153454.tif 000005
【図４】
0003153454.tif 000006